(57)【要約】【課題】  複数の原料を供給するように構成された配管構造において、効率的な洗浄を行い、配管本数よりも少ない数のセンサーで配管の洗浄度を測定する。【解決手段】  センサーを用いて配管の洗浄度を測定しながら行う配管洗浄において、複数のプラント用配管をそれぞれに第１のバルブを介して接続ラインにつなげ、接続ラインの一方に第２のバルブを介してセンサーを有した洗浄度測定ラインをつなげ、接続ラインの他方から第３のバルブを介して洗浄度測定ラインにバイパスラインをつなげて、下流側（洗浄度測定ライン側）のプラント用配管を洗浄する際に、第２のバルブを閉じて第３のバルブを開き、バイパスラインを介して洗浄度測定ラインに流れるようにし、接続ラインの下流側から上流側に逆流させて接続ラインの上流側も洗浄する。【選択図】図１
2005169189.tif 000002
【特許請求の範囲】
【請求項１】
複数の原料をそれぞれに移送する配管が第１の弁を介してそれぞれに接続される第１の配管と、前記第１の配管の一端が第２の弁を介してドレン又は洗浄液リターンに接続される第２の配管と、前記第１の配管の他端を第３の弁を介して前記第２の配管の前記第２の弁の後流側に接続した第３の配管と、前記第２の配管の前記第３の配管が接続された位置の後流側に設けた洗浄度測定用のセンサーとを具備したことを特徴とする配管洗浄構造。
【請求項２】
請求項１記載の配管洗浄構造において、前記センサーに導電率計を用い、前記配管のアルカリ洗浄後の水洗浄の際の洗浄度を前記センサーで測定する配管洗浄構造。
【発明の詳細な説明】
【技術分野】
【０００１】
本発明は配管洗浄構造に係り、特に複数の医薬プラントが接続されてなる配管の洗浄に好適な配管洗浄構造に関するものである。
【背景技術】
【０００２】
従来、医薬プラントで用いられる配管は、例えば、図２に示すように、それぞれの医薬プラント１ａないし１ｅに接続された配管２ａないし２ｅが配管４にそれぞれつながり、配管４がドレン又は洗浄液リターンに接続する配管６につながって、配管６に複数本の配管（この場合、２ａないし２ｅ）に対し洗浄度を測定するセンサー７が設けられていた。なお、ここで、３ａないし３ｅは各配管２ａないし２ｅに設けられたバルブであり、５ａないし５ｄは配管４に設けられ各配管２ａないし２ｅの間を仕切る仕切バルブである。
【０００３】
このように設けられた配管において、下流側の配管を洗浄、例えば、配管２ｃを洗浄する際には、上流側、すなわち、配管２ｄ側に逆流しないように配管４に設けた仕切バルブ５ｃを閉めて、逆流を防止していた。このようにして、複数の医薬プラントの配管に対し、１つのセンサーで複数本の配管の洗浄度を測定していた。
【０００４】
【特許文献１】特開平１０−２５０７９７号公報
【発明の開示】
【発明が解決しようとする課題】
【０００５】
上記従来技術は、逆流防止のための配管への仕切バルブの取付け簡素化の点について配慮されておらず、医薬プラントが多数連結された場合には、多数の仕切バルブを設置する必要があった。
【０００６】
本発明の目的は、配管本数よりも少ない数のセンサーで配管の洗浄度を測定することのできる配管洗浄構造を提供することにある。
【課題を解決するための手段】
【０００７】
上記目的は、センサーを用いて配管の洗浄度を測定しながら行う配管洗浄において、複数のプラント用配管をそれぞれに第１のバルブを介して接続ラインにつなげ、接続ラインの一方に第２のバルブを介してセンサーを有した洗浄度測定ラインをつなげ、接続ラインの他方から第３のバルブを介して洗浄測定ラインにバイパスラインをつなげて、下流側
（洗浄度測定ライン側）のプラント用配管を洗浄する際に、第２のバルブを閉じて第３のバルブを開き、バイパスラインを介して洗浄度測定ラインに流れるようにし、接続ラインの下流側から上流側に逆流させて接続ラインの上流側の部分も洗浄できるようにすることにより、達成される。これにより、簡素な構造で配管の洗浄が行え、また効率的な洗浄が行える。
【発明の効果】
【０００８】
本発明によれば、配管本数よりも少ない数のセンサーで配管の洗浄度を測定することができる。また、バルブ数，導電率計の数を減少させることができると共にリンス時間を短縮することができる。
【発明を実施するための最良の形態】
【０００９】
本発明は、複数の配管が接続された第１配管（接続ライン）の一方に第２配管（洗浄測定ライン）を接続し、第１配管の他方に第３配管（バイパスライン）を接続し、第２配管で第３配管が接続された位置の後流にセンサーを設けることによって、配管内の洗浄度を測定するセンサーが一個の場合でも、複数の配管の洗浄時の下流側の配管を洗浄する場合に、洗浄液を上流側に逆流させるようにして、上流側の箇所も洗浄できるようにしたものである。
【実施例１】
【００１０】
以下、本発明の配管洗浄構造の一実施例を図１により説明する。それぞれの医薬プラント１ａないし１ｅには、配管２ａないし２ｅが接続されている。配管２ａないし２ｅは、第１の配管であり接続ラインを形成する配管４にそれぞれつながれている。配管４の一方は、ドレン又は洗浄液リターンに接続される第２の配管であり洗浄測定ラインを形成する配管６につながっている。配管６には配管４の洗浄度を測定するセンサー７が設けられている。配管４の他方には、配管６のセンサー７の上流側につながる第３の配管であるバイパスラインを形成する配管８が接続されている。配管４と配管６の一部と配管８によってループが形成される。なお、ここで、３ａないし３ｅは各配管２ａないし２ｅに設けられた第１の弁である複数のバルブである。９ａ及び９ｂは配管６及び配管８に設けた第２及び第３の弁で、配管４の両端部側の洗浄液の流れを切り替える仕切バルブである。
【００１１】
上記のように構成された配管洗浄構造において、複数のプラント用配管をそれぞれに第１のバルブを介して接続ラインにつなげ、接続ラインの一方に第２のバルブを介してセンサーを有した洗浄度測定ラインをつなげ、接続ラインの他方から第３のバルブを介して洗浄測定ラインにバイパスラインをつなげて、下流側（洗浄度測定ライン側）のプラント用配管を洗浄する際に、第２のバルブを閉じて第３のバルブを開き、バイパスラインを介して洗浄度測定ラインに流れるようにし、接続ラインの下流側から上流側に逆流させて接続ラインの上流側の部分も洗浄できるようにする。
【００１２】
また、上流側（反洗浄度測定ライン側）のプラント用配管を洗浄する際には、第３のバルブを閉じて第２のバルブを開き、バイパスラインを介さずに直接に洗浄度測定ラインに流れるようにし、接続ラインの上流側から下流側に流して接続ラインの下流側の部分も洗浄できるようにする。これにより、簡素な構造で配管の洗浄が行え、また効率的な洗浄が行える。
【００１３】
さらに、第２，第３のバルブの開度を調整して両側に流れる量を調整して、両側に流れるようにしても良い。
【００１４】
通常、洗浄はアルカリ液で行い、その後、リンス洗浄を行う。なお、リンスは水で行う。装置Ａ（医薬プラント１ａないし１ｅに相当）もしくは配管Ａ（配管２ａないし２ｅに相当）の洗浄後のリンスの終了検出においては、水でリンスを行い、その電気伝導度を測定し基準値以下で合格としている。従来法では１個の導電率計を使用するためには仕切りバルブを設けていた。もしくは装置，ライン毎に導電率計を設けて行っていた。これに対し、本発明においては図１に示すようにバルブ，配管を構成することでバルブ数，導電率計を減らすことができる。本発明においては装置もしくは配管から流入するリンス水をバルブ９ａ，９ｂを開閉させてループ配管の流路の向きを数秒間〜数十秒間ずつ変えて導電率計に流すことで、液溜り部はなくなり早い時間に洗浄液をリンス水で洗い流すことができる。
【００１５】
図１に示すように装置や他の配管につながる配管２ａないし２ｂを、ループにした配管のヘッダー（配管４）に接続し、そのループに形成された配管の両端にバルブ９ａ，９ｂを設けることにより、バルブ，導電率計の数を減らすことができ、リンス時間を短縮することができる。
【産業上の利用可能性】
【００１６】
多数の配管が接続されたラインにおいて、ライン内を効果的に洗浄する必要のあるものに好適である。
【図面の簡単な説明】
【００１７】
【図１】本発明の一実施例である配管洗浄構造を示す構成図である。（実施例１）
【図２】従来の配管構成の一例を示す消泡装置の配管構成の構成図である。
【符号の説明】
【００１８】
１ａないし１ｅ…医薬プラント、２ａないし２ｅ，４，６，８…配管、３ａないし３ｅ，９ａ，９ｂ…バルブ、７…センサー。
【図１】
2005169189.tif 000003
【図２】
2005169189.tif 000004